(57)【要約】【課題】簡単な構成により、光源の発光に伴って発生する熱を効果的に放熱することができるようにする。【解決手段】遊技機前面に設けられるパネルに、透光性の複数の表示部を設け、各表示部の裏面に対向する回路基板１２に実装される複数の光源１３ａ、１３ｂ、１３ｃをもって、表示部を裏側から照明することにより所定の遊技情報を報知するようにした遊技機の表示部照明装置において、回路基板１２に、各表示部の間をその裏面側から仕切るとともに、不透光性で、かつ回路基板１２よりも熱伝導率が高い材料により形成した仕切板１４を固定する。【選択図】  図４
2008104756.tif 000002
【特許請求の範囲】
【請求項１】
遊技機前面に設けられるパネルに、透光性の複数の表示部を設け、前記各表示部の裏面に対向する回路基板に実装される複数の光源をもって、前記表示部を裏側から照明することにより所定の遊技情報を報知するようにした遊技機の表示部照明装置において、
前記回路基板に、前記各表示部の間をその裏面側から仕切るとともに、不透光性で、かつ前記回路基板よりも熱伝導率が高い材料により形成した仕切板を固定したことを特徴とする遊技機の表示部照明装置。
【請求項２】
前記仕切板を金属製とし、かつその表面に冷却フィンまたは多数の凹凸部を設けたことを特徴とする請求項１記載の遊技機の表示部照明装置。
【請求項３】
前記仕切板の後部に、前記回路基板の実装面と平行な取付片を形成し、この取付片を、前記回路基板の前記実装面に密着させて前記回路基板に固定したことを特徴とする請求項１または２記載の遊技機の表示部照明装置。
【発明の詳細な説明】
【技術分野】
【０００１】
本発明は、透光性の表示部を裏側から照明することにより所定の遊技情報を報知するようにしたパチンコ機、スロットマシン等の遊技機の表示部照明装置に関する。
【背景技術】
【０００２】
遊技機の表示部照明装置は、遊技機の前面に設けられるパネルに、複数に仕切られた透光性の表示部を設けるとともに、パネルの裏側に、各表示部に対応するように仕切った区画室を有するランプハウジングを配置し、このランプハウジングの後部に、各表示部に対応するように、複数の光源を実装した回路基板が取り付けられている。そして、表示部を裏側から対応する光源により照明することにより、そのときの遊技状態に対応する表示部を明るく照らすことによって、遊技者にそのときの遊技状態を報知するようになっている（例えば、特許文献１参照）。
【特許文献１】特許第２５５４６７３号公報
【発明の開示】
【発明が解決しようとする課題】
【０００３】
しかし、上記特許文献１に記載された遊技機の表示部照明装置においては、光源の発光に伴って発生する熱を冷却または放熱する手段を有していないため、光源及び電子部品を実装した回路基板の温度が高くなり、光源、電子部品の温度特性が悪くなり、それらの寿命が短くなる等の不具合が生じる問題を有している。
【０００４】
本発明は、上述のような従来の問題に鑑み、簡単な構成により、光源の発光に伴って発生する熱を効果的に放熱することができるようにした遊技機の表示部照明装置を提供することを目的とする。
【課題を解決するための手段】
【０００５】
本発明によると、上記課題は、次のようにして解決される。
（１）遊技機前面に設けられるパネルに、透光性の複数の表示部を設け、前記各表示部の裏面に対向する回路基板に実装される複数の光源をもって、前記表示部を裏側から照明することにより所定の遊技情報を報知するようにした遊技機の表示部照明装置において、前記回路基板に、前記各表示部の間をその裏面側から仕切るとともに、不透光性で、かつ前記回路基板よりも熱伝導率が高い材料により形成した仕切板を固定する。
【０００６】
（２）上記(１)項において、前記仕切板を金属製とし、かつその表面に冷却フィンまたは多数の凹凸部を設ける。
【０００７】
（３）上記(１)または(２)項において、前記仕切板の後部に、前記回路基板の実装面と平行な取付片を形成し、この取付片を、前記回路基板の前記実装面に密着させて前記回路基板に固定する。
【発明の効果】
【０００８】
本発明によれば、次のような効果が奏せられる。
請求項１記載の発明によると、回路基板に、各表示部の間をその裏面側から仕切るとともに、不透光性で、かつ回路基板よりも熱伝導率が高い材料により形成した仕切板を固定したことにより、別途放熱板を設けることなく、簡単な構成により、光源の発光に伴って発生する回路基板の熱を、仕切板に伝えて放熱することができる。
【０００９】
請求項２記載の発明によると、仕切板を金属製とし、かつその表面に冷却フィンまたは多数の凹凸部を設けたことにより、回路基板の熱をより効果的に放熱することができる。
【００１０】
請求項３記載の発明によると、仕切板の後部に、回路基板の実装面と平行な取付片を形成し、この取付片を、回路基板の実装面に密着させて回路基板に固定したことにより、光源の発光に伴って発生する回路基板の熱を、取付片を介して、仕切板に効率良く伝達することができる。
【発明を実施するための最良の形態】
【００１１】
以下、本発明の一実施形態を図面に基づいて説明する。図１は、本発明の一実施形態を適用した遊技機（スロットマシン）の斜視図、図２は、パネル板を取り外した状態の要部の拡大斜視図、図３は、回路基板が取り付けられたランプハウジングの斜視図、図４は、仕切板を固定した回路基板の斜視図、図５は、要部の分解斜視図、図６は、他の実施例における仕切板の斜視図、図７は、さらに他の実施例における仕切板の斜視図である。なお、以下の説明においては、各図における左斜め下方を前方または表面とし、右斜め上方を後方または裏面とし、左斜め上方を左方とし、右斜め下方を右方とする。
【００１２】
図１に示すように、遊技機１は、各種遊技機器を収容した筐体２と、筐体２の前面に開閉可能に支持された前扉３とを備え、遊技媒体（メダルまたはコイン）を前扉３の前面右側に設けたメダル投入部４に投入することにより、後述する所定のゲームを行うことができる。
【００１３】
なお、本実施形態において、遊技機１を遊技媒体がメダルまたはコインとするスロットマシンとするが、本発明は、これに特定されるものでなく、遊技機１を遊技媒体がパチンコ玉とするパチンコ機またはスロットマシン、その他の遊技機としても良い。
【００１４】
筺体２内には、遊技機器をなす、外周面に複数種類の図柄、数字等で構成される識別情報が描かれた左、中、右の回転リール５、メダルを貯留及び払出可能なホッパーユニット（図示略）、遊技を制御する各種制御基板（図示略）、及び制御基板やその他の電気機器へ電力を供給する電源装置（図示略）等が収容されている。
【００１５】
前扉３の下半分の表面には、遊技を行うときにメダルが投入されるメダル投入部４、メダルをゲームに投資するときに操作されるベットスイッチボタン６、各回転リール５を回転させるときに操作されるスタートスイッチレバー７、及び各回転リール５の回転を停止させるときに操作される３個のストップスイッチボタン８等が設けられている。
【００１６】
前扉３の上半分の表面には、透明なアクリル板により形成されるパネル板９が嵌め込まれている。パネル板９には、各回転リール５の識別情報を３こまずつ透視可能な正面視矩形の識別情報表示窓９１が設けられている。識別情報表示窓９１の右方には、遊技状態に応じた遊技情報を報知可能な上、中、下に仕切った透光性の表示部１０ａ、１０ｂ、１０ｃが形成されている。
【００１７】
なお、パネル板９の識別情報表示窓９及び表示部１０ａ、１０ｂ、１０ｃを除く領域は、彩色、模様等が施され、不透明又は半透明に形成されている。
【００１８】
図２に示すように、パネル板９の裏面側には、表示部１０ａ、１０ｂ、１０ｃに対向するように、前後が開口する正面視矩形枠状のランプハウジング１１が配置されている。ランプハウジング１１の後部には、母材が絶縁性の回路基板１２が固定されている。
【００１９】
回路基板１２の実装面（前面または表面）には、各表示部１０ａ、１０ｂ、１０ｃの裏面にそれぞれ対向するように、発光ダイオードまたはランプ等により構成される光源１３ａ、１３ｂ、１３ｃが実装されている。また、光源１３ａ、１３ｂの間、及び光源１３ｂ、１３ｃの間における回路基板１２の実装面には、不透光性で、かつ回路基板１２より熱伝導率の高い金属材料により形成される仕切板１４、１４がほぼ水平状態に固定されている。
【００２０】
回路基板１２の実装面に対向する仕切板１４の後部には、回路基板１２の実装面に沿うように下方へ折曲した取付片１４１が設けられている。
【００２１】
仕切板１４は、ランプハウジング１１の左右の両側壁１１１、１１１間に架設されるとともに、取付片１４１を、その裏面が回路基板１２の実装面に密着した状態で、ボルト１５により締結することによって、各表示部１０ａ、１０ｂ、１０ｃを裏面側から仕切るように、すなわち、例えば、真ん中の表示部１０ｂを裏面から照明する場合、真ん中の表示部１０ｂの裏面に対向する光源１３ｂの光が漏れて、真ん中の表示部１０ｂに隣接する上、下の表示部１０ａ、１０ｃの領域を照明することがないように、回路基板１２の実装面に固定される。
【００２２】
また、仕切板１４は、回路基板１２よりも熱伝導率の高い金属製であるため、光源１３ａ、１３ｂ、１３ｃの発光により発熱した回路基板１２の熱を放熱する作用も有している。すなわち、光源１３ａ、１３ｂ、１３ｃの発光により発生した回路基板１２の熱エネルギーは、回路基板１２の実装面に裏面が密着した取付片１４１を介して、各仕切板１４、１４に効率良く伝達されて放熱される。これにより、回路基板１２に実装された光源１３ａ、１３ｂ、１３ｃ及び電子部品の温度上昇を抑えて、光源１３ａ、１３ｂ、１３ｃを効率的に発光させることができる。
【００２３】
また、図６に示すように、仕切板１４Ａの上、下面に、多数の冷却フィン１４１Ａを設けたり、図７に示すように、仕切板１４Ｂの上、下面に、多数の凹凸部１４１Ｂを設けたりすると、各仕切板１４Ａ、１４Ｂの表面積を大きくすることができ、より放熱効果を高めることができる。
【００２４】
遊技機１のゲームは、遊技者が遊技媒体をメダル投入部４に投入して、ベットスイッチボタン６によりメダルの賭数を設定した後、スタートスイッチレバー７を操作して、全ての回転リール５を回転させることによって開始される。
【００２５】
回転リール５が回転して所定時間が経過した後、３個のストップスイッチボタン８を順次操作して、各回転リール５の回転を停止させ、各回転リール５の識別情報の組み合わせにより、入賞の有無、及び賞の大小に応じたメダルの配当枚数が確定される。入賞した場合には、予め定めた入賞枚数のメダルがホッパーユニットから前扉３の下部に設けられた受皿３１に払い出される。また、そのときの遊技状態に合わせて、表示部１０ａ、１０ｂ、１０ｃのいずれかを明るくすることによって、遊技者に遊技状態を報知することができる。
【００２６】
以上、本発明の実施形態について説明したが、本発明の要旨を逸脱しない範囲内で、本実施形態に対して、次のような種々の変形や変更を施すことが可能である。
（ｉ）表示部、光源及び仕切板の数を適宜変更する。
（ii）ハウジングを、回路基板より熱伝導率が高い材料で形成する。
【図面の簡単な説明】
【００２７】
【図１】本発明の一実施形態を適用した遊技機（スロットマシン）の斜視図である。
【図２】パネル板を取り外した状態の要部の拡大斜視図である。
【図３】回路基板が取り付けられたランプハウジングの斜視図である。
【図４】仕切板を固定した回路基板の斜視図である。
【図５】要部の分解斜視図である。
【図６】他の実施例における仕切板の斜視図である。
【図７】さらに他の実施例における仕切板の斜視図である。
【符号の説明】
【００２８】
１  遊技機
２  筐体
３  前扉
４  メダル投入部
５  回転リール
６  ベッドスイッチボタン
７  スタートスイッチレバー
８  ストップスイッチボタン
９  パネル板
１０ａ、１０ｂ、１０ｃ  表示部
１１  ランプハウジング
１２  回路基板
１３ａ、１３ｂ、１３ｃ  光源
１４、１４Ａ、１４Ｂ  仕切板
１５  ボルト
３１  受皿
９１  識別情報表示窓
１１１  側壁
１４１  取付片
１４１Ａ  冷却フィン
１４１Ｂ  凹凸部
【図１】
2008104756.tif 000003
【図２】
2008104756.tif 000004
【図３】
2008104756.tif 000005
【図４】
2008104756.tif 000006
【図５】
2008104756.tif 000007
【図６】
2008104756.tif 000008
【図７】
2008104756.tif 000009